(57)【特許請求の範囲】
【請求項１】
携帯端末と、
前記携帯端末から画像の読取り指示を受信するとともに、当該携帯端末に対して当該読取り指示によるデータを送信する画像形成装置と、を備え、
前記画像形成装置の近距離無線通信が行える範囲内に前記携帯端末が存在した/することを条件として当該画像形成装置と当該携帯端末とが当該携帯端末が当該画像形成装置に対する画像の読取り指示を専有できる情報として当該画像形成装置が発信するワンタイムパスワードを共有し、当該携帯端末は、ワンタイムパスワードを共有する画像形成装置に対して画像の読取り指示を送信し、ワンタイムパスワードを共有する間において当該画像形成装置を専有して読取りを実行する画像処理システム。
【請求項２】
前記ワンタイムパスワードは、前記画像形成装置が発信するアドバタイズパケットに含まれることを特徴とする請求項１に記載の画像処理システム。
【請求項３】
近距離無線通信が行える範囲内に存在する携帯端末に対してワンタイムパスワードを発信する発信部と、
発信したワンタイムパスワードを受信した携帯端末からワンタイムパスワードを含む読取り指示を受信する指示受信部と、
発信したワンタイムパスワードと読取り指示に含まれるワンタイムパスワードとが一致した場合に読取りを実行する読取り実行部と
を備え、
前記読取り実行部は、近距離無線通信が行える範囲内に前記携帯端末が存在した/することを条件として、自装置と当該携帯端末とが、当該携帯端末が自装置に対する画像の読取り指示を専有できる情報としてワンタイムパスワードを共有し、ワンタイムパスワードを共有する間において当該携帯端末が自装置を専有して読取りを実行することを特徴とする画像形成装置。
【請求項４】
前記読取り実行部は、発信したワンタイムパスワードと読取り指示に含まれるワンタイムパスワードとが一致しない場合、または読取り指示にワンタイムパスワードが含まれていない場合に、読取りを実行しないことを特徴とする請求項３に記載の画像形成装置。
【請求項５】
前記読取りを実行して得られた読取りデータを、読取り指示を行った前記携帯端末に送信するデータ送信部を更に備えることを特徴とする請求項３に記載の画像形成装置。
【発明の詳細な説明】
【技術分野】
【０００１】
本発明は、画像処理システムおよび画像形成装置に関する。
【背景技術】
【０００２】
公報記載の従来技術として、タブレット端末等の端末の位置もしくは端末を所有するユーザの位置を確認した上で、端末からの利用を許可する画像形成装置が存在する。（特許文献１参照）
【先行技術文献】
【特許文献】
【０００３】
【特許文献１】特開２０１３−１８３２１５号公報
【発明の概要】
【発明が解決しようとする課題】
【０００４】
ここで、携帯端末から画像形成装置に対して画像の読取り指示を行う場合、同一のネットワークに接続している他の端末からも読取り指示を行えるため、原稿を置いたユーザが意図する端末とは異なる端末へ読取ったデータが送信される場合があった。
本発明は、読取り指示を行う携帯端末を限定することにより、同一のネットワークに接続している他の端末による読み取りの実行を防ぐことを目的とする。
【課題を解決するための手段】
【０００５】
請求項１記載の発明は、携帯端末と、前記携帯端末から画像の読取り指示を受信するとともに、当該携帯端末に対して当該読取り指示によるデータを送信する画像形成装置と、を備え、前記画像形成装置の近距離無線通信が行える範囲内に前記携帯端末が存在した/することを条件として当該画像形成装置と当該携帯端末とが当該携帯端末が当該画像形成装置に対する画像の読取り指示を専有できる情報として当該画像形成装置が発信するワンタイムパスワードを共有し、当該携帯端末は、ワンタイムパスワードを共有する画像形成装置に対して画像の読取り指示を送信し、ワンタイムパスワードを共有する間において当該画像形成装置を専有して読取りを実行する画像処理システムである。
請求項２記載の発明は、前記ワンタイムパスワードは、前記画像形成装置が発信するアドバタイズパケットに含まれることを特徴とする請求項１に記載の画像処理システムである。
請求項３記載の発明は、近距離無線通信が行える範囲内に存在する携帯端末に対してワンタイムパスワードを発信する発信部と、発信したワンタイムパスワードを受信した携帯端末からワンタイムパスワードを含む読取り指示を受信する指示受信部と、発信したワンタイムパスワードと読取り指示に含まれるワンタイムパスワードとが一致した場合に読取りを実行する読取り実行部とを備え、前記読取り実行部は、近距離無線通信が行える範囲内に前記携帯端末が存在した/することを条件として、自装置と当該携帯端末とが、当該携帯端末が自装置に対する画像の読取り指示を専有できる情報としてワンタイムパスワードを共有し、ワンタイムパスワードを共有する間において当該携帯端末が自装置を専有して読取りを実行することを特徴とする画像形成装置である。
請求項４記載の発明は、前記読取り実行部は、発信したワンタイムパスワードと読取り指示に含まれるワンタイムパスワードとが一致しない場合、または読取り指示にワンタイムパスワードが含まれていない場合に、読取りを実行しないことを特徴とする請求項３に記載の画像形成装置である。
請求項５記載の発明は、前記読取りを実行して得られた読取りデータを、読取り指示を行った前記携帯端末に送信するデータ送信部を更に備えることを特徴とする請求項３に記載の画像形成装置である。
【発明の効果】
【０００６】
請求項１記載の発明によれば、携帯端末を限定して、読取り指示を専有することができる。また、認証情報により携帯端末を限定して、読取り指示を専有することができる。
請求項３記載の発明によれば、読取り指示を行う携帯端末を限定して、読取りを実行することができる。
請求項４記載の発明によれば、限定された携帯端末以外による読取りの実行を阻止できる。
請求項５記載の発明によれば、読取り指示を行う携帯端末を限定して、読取りデータを送信することができる。
【図面の簡単な説明】
【０００７】
【図１】本実施の形態に係る画像処理システムの全体構成例を示した図である。
【図２】画像形成装置のハードウェア構成例を示した図である。
【図３】携帯端末のハードウェア構成例を示した図である。
【図４】画像形成装置の機能構成例を示したブロック図である。
【図５】携帯端末の機能構成例を示したブロック図である。
【図６】実施の形態１に係る画像処理システムの動作の一例を説明するためのシーケンス図である。
【図７−１】実施の形態１に係る画像処理システムによる処理手順の一例を説明するためのフローチャートである。
【図７−２】実施の形態１に係る画像処理システムによる処理手順の一例を説明するためのフローチャートである。
【図８−１】実施の形態２に係る画像処理システムの動作の一例を説明するためのシーケンス図である。
【図８−２】実施の形態２に係る画像処理システムの動作の一例を説明するためのシーケンス図である。
【図９−１】実施の形態２に係る画像処理システムによる処理手順の一例を説明するためのフローチャートである。
【図９−２】実施の形態２に係る画像処理システムによる処理手順の一例を説明するためのフローチャートである。
【発明を実施するための形態】
【０００８】
以下、添付図面を参照して、本発明の実施の形態について詳細に説明する。
［実施の形態１］
＜システム構成＞
まず、本実施の形態に係る画像処理システム１の全体構成について説明する。図１は、本実施の形態に係る画像処理システム１の全体構成例を示した図である。図示するように、画像処理システム１は、ユーザの指示により画像を形成する画像形成装置１０と、ユーザから画像形成装置１０への無線通信による指示を可能とする携帯端末２０とを備えている。また、携帯端末２０と画像形成装置１０との無線通信を中継する無線ルータ３０を備えている。この画像形成装置１０、携帯端末２０、および無線ルータ３０は、ネットワーク５０に接続されている。
【０００９】
なお、図１に示す例では１台の画像形成装置１０を示したが、２台以上の画像形成装置１０をネットワーク５０に接続させて画像処理システム１を構成しても良い。また、図１に示す例では１台の携帯端末２０を示したが、２台以上の携帯端末２０が画像処理システム１に含まれる場合がある。
【００１０】
画像形成装置１０は、例えば、スキャン機能、プリント機能、コピー機能およびファクシミリ機能等を備えた装置であり、用紙等の記録媒体に画像を形成して出力する。ここで、画像形成装置１０は、携帯端末２０から印刷ジョブを受信し、受信した印刷ジョブをもとに印刷処理を実行する。印刷ジョブとは、印刷対象となる画像データと、印刷処理における設定が記述された制御命令とを含み、画像形成装置１０で実行される印刷処理の単位となるデータである。
【００１１】
携帯端末２０は、画像形成装置１０における各種機能の実行を指示する際に用いられる携帯型のコンピュータ装置である。携帯端末２０としては、例えば、スマートフォン、タブレットＰＣ（Personal Computer）、ノートＰＣ等がある。
【００１２】
無線ルータ３０は、無線通信の基地局として機能し、画像形成装置１０及び携帯端末２０との間の無線接続を中継する。
ネットワーク５０は、画像形成装置１０及び携帯端末２０の各装置間の情報通信に用いられる通信手段であり、例えば有線／無線ＬＡＮ（Local Area Network）である。
なお、図１では、画像形成装置１０はネットワーク５０に有線接続されているが、無線ルータ３０を介して無線接続されていてもよい。
【００１３】
また、本実施の形態では、画像形成装置１０と携帯端末２０との間で、ネットワーク５０を介さない通信を可能としている。この通信としては、無線ＬＡＮによる通信よりも通信距離が短い近距離無線通信（例えば、近接場型の無線通信：ＮＦＣ（Ｎｅａｒ  Ｆｉｅｌｄ  Ｃｏｍｍｕｎｉｃａｔｉｏｎ）や、ＢＬＥ（Ｂｌｕｅｔｏｏｔｈ（登録商標）  Ｌｏｗ  Ｅｎｅｒｇｙ））が挙げられる。ここで、ＮＦＣとは、通信距離が約１０ｃｍ程度の無線通信の規格である。ＢＬＥは、近距離無線通信技術であるＢｌｕｅｔｏｏｔｈの拡張仕様の一つであり、Ｂｌｕｅｔｏｏｔｈ４．０で追加策定されたものである。Ｂｌｕｅｔｏｏｔｈは、２．４ＧＨｚの周波数帯を利用する近距離無線通信の技術であり、Ｂｌｕｅｔｏｏｔｈ通信を行う機器間の通信距離は通常１０ｍほどである。また、ＢＬＥでは、パケットサイズを最大２７バイト、データ転送速度を最大１Ｍｂｐｓとし、消費電力の低減を実現している。以下、本実施の形態において、近距離無線通信の一例としてＢＬＥを用いる場合を例にとり、説明を行う。
【００１４】
＜画像形成装置１０のハードウェア構成＞
次に、画像形成装置１０のハードウェア構成について説明する。図２は、画像形成装置１０のハードウェア構成例を示した図である。図示するように、画像形成装置１０は、ＣＰＵ（Central Processing Unit）１０１と、ＲＡＭ（Random Access Memory）１０２と、ＲＯＭ（Read Only Memory）１０３と、磁気ディスク装置であるＨＤＤ（Hard Disk Drive）１０４と、操作パネル１０５と、画像形成部１０６と、画像読取部１０７と、画像処理部１０８と、ネットワークインタフェース（以下、ネットワークＩ／Ｆと称する）１０９と、ＢＬＥインタフェース（以下、ＢＬＥＩ／Ｆと称する）１１０とを備える。なお、これらの各機能部はバス１１１に接続されており、このバス１１１を介してデータの授受を行う。
【００１５】
ＣＰＵ１０１は、ＯＳ（Operating System）やアプリケーション等の各種ソフトウェアを実行し、後述する各種機能を実行している。ＲＡＭ１０２は、ＣＰＵ１０１の作業用メモリ等として用いられるメモリである。ＲＯＭ１０３は、ＣＰＵ１０１が実行する各種プログラム等を記憶するメモリである。そして、ＣＰＵ１０１は、ＲＯＭ１０３等に記憶された各種プログラムをＲＡＭ１０２にロードして実行することにより、画像形成装置１０の各機能を実現する。
ＨＤＤ１０４は、画像形成部１０６における画像形成動作で用いる画像データ等を記憶する。
ここで、ＣＰＵ１０１が実行するプログラムは、予めＲＯＭ１０３に記憶させておく形態のほか、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、例えばネットワーク５０を介してＣＰＵ１０１に提供しても良い。
【００１６】
操作パネル１０５は、各種情報の表示やユーザからの操作入力の受付を行うタッチパネルである。ここで、操作パネル１０５は、各種情報が表示されるディスプレイと、指やスタイラスペン等で接触された位置を検出する位置検出シートとからなる。接触された位置を検出する手段としては、接触による圧力をもとに検出する手段や、接触した物の静電気をもとに検出する手段等、どのようなものが用いられても良い。また、タッチパネルに代えて、ディスプレイ、およびキーボード等の入力手段を用いても良い。
【００１７】
画像形成部１０６は、記録媒体に画像を形成するものである。ここで、画像形成部１０６は、例えばプリンタであり、感光体に付着させたトナーを記録媒体に転写して像を形成する電子写真方式や、インクを記録媒体上に吐出して像を形成するインクジェット方式などが用いられる。
【００１８】
画像読取部１０７は、記録媒体に記録された画像を読み取り、読み取った画像を表す画像データを生成する。ここで、画像読取部１０７は、例えばスキャナであり、光源から原稿に照射した光に対する反射光をレンズで縮小してＣＣＤ(Charge Coupled Devices)で受光するＣＣＤ方式や、ＬＥＤ光源から原稿に順に照射した光に対する反射光をＣＩＳ(Contact Image Sensor)で受光するＣＩＳ方式などが用いられる。
【００１９】
画像処理部１０８では、入力される画像データに色補正や階調補正等の各種画像処理を施している。例えば、画像読取部１０７で読み込まれた画像データやＨＤＤ１０４に記憶されている画像データに各種画像処理を施し、画像形成部１０６に出力している。
【００２０】
ネットワークＩ／Ｆ１０９は、ネットワーク５０を介して、ネットワーク５０上の装置との間で各種データの送受信を行う通信インタフェースとして機能する。ネットワークＩ／Ｆ１０９は、有線であるか無線であるかを問わず、その送受信は有線接続または無線接続で行われる。
ＢＬＥＩ／Ｆ１１０は、ＢＬＥ通信機能搭載の携帯端末２０との間でＢＬＥ通信を行う通信インタフェースとして機能し、そのためのアンテナを含む。そして、携帯端末２０との間で、ネットワークＩ／Ｆ１０９にて送受信されるデータに比べて比較的軽いデータの送受信を、ＢＬＥを用いて行っている。
【００２１】
＜携帯端末２０のハードウェア構成＞
図３は、携帯端末２０のハードウェア構成例を示した図である。図示するように、携帯端末２０は、ＣＰＵ２０１と、記憶手段であるメモリ２０２とを備える。ここで、ＣＰＵ２０１は、ＯＳやアプリケーション等の各種ソフトウェアを実行し、後述する各種機能を実行している。また、メモリ２０２は、各種ソフトウェアやその実行に用いるデータ等を記憶する記憶領域を有する。
ここで、ＣＰＵ２０１が実行するプログラムは、予めメモリ２０２に記憶させておく形態のほか、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、例えばインターネットを介してＣＰＵ２０１に提供する形態もある。
【００２２】
更に、携帯端末２０は、外部との無線通信を行うための無線Ｉ／Ｆ２０３およびＢＬＥＩ／Ｆ２０４と、画像を表示する画像表示手段２０５とを備える。
無線Ｉ／Ｆ２０３は、ネットワーク５０を介して画像形成装置１０との間で無線通信を行い、各種データの送受信を行う通信インタフェースとして機能する。
ＢＬＥＩ／Ｆ２０４は、画像形成装置１０との間でＢＬＥ通信を行う通信インタフェースとして機能し、そのためのアンテナを含む。そして、画像形成装置１０との間で、無線Ｉ／Ｆ２０３にて送受信されるデータに比べて比較的軽いデータの送受信を、ＢＬＥ通信により行っている。
【００２３】
画像表示手段２０５は、例えば、タッチパネルである。そのため画像表示手段２０５は、液晶パネルを備えるとともに、液晶パネルに人の指、スタイラスペンに代表される接触物が接触したときに、接触物が液晶パネルに接触した位置を検知する位置検知部（図示せず）を備えている。本実施の形態において使用するタッチパネルは、特に限定されるものではなく、抵抗膜方式や静電容量方式など種々の方式のものが採用される。
【００２４】
なお携帯端末２０は、記憶手段として例えばＨＤＤやフラッシュメモリなどを備えていてもよい。ＨＤＤやフラッシュメモリは、各種ソフトウェアに対する入力データや各種ソフトウェアからの出力データ等を記憶する。また携帯端末２０は、さらにキーボードやマウス等の入力デバイスを備えていてもよい。
【００２５】
上述した画像処理システム１において、画像形成装置１０及び携帯端末２０は、通信するデータの量や種類に応じて、無線通信またはＢＬＥ通信を行うことによりデータの送受信を行う。
【００２６】
＜画像形成装置１０の機能構成＞
次に、画像形成装置１０の機能構成について説明する。
本実施の形態において、画像形成装置１０は、携帯端末２０からのプルスキャン（PullScan）を実施するための処理を行う。ここで「プルスキャン」とは、一般に、ＰＣ装置などから、画像読取り（スキャナ）機能を有する複合機に対してスキャンニング指示を出し、スキャン動作を行う処理をいう。本実施の形態では、プルスキャンの処理として、携帯端末２０から画像形成装置１０に対して、原稿を読取る読取り指示（以下、スキャンジョブともいう）が送信される。この読取り指示の送信を受け、画像形成装置１０において読取り動作（以下、スキャン動作ともいう）が終了すると、スキャンジョブに含まれている保存場所へと読取った文書（以下、スキャンデータともいう）を送信している。
【００２７】
ところで、プルスキャンを行う場合、ユーザが画像形成装置１０に原稿を一旦、置いて、その後、指示を行う必要がある。しかしながら、画像形成装置１０に原稿を置いてから指示を行うまでの間に、別のユーザがネットワーク５０に接続している他端末を介して先にスキャンをスタートさせてしまう可能性がある。
そこで、本実施の形態では、画像形成装置１０とＢＬＥ通信を行うことが可能な通信距離内にある携帯端末２０に限定して、プルスキャンを実施することができるようにした。
【００２８】
図４は、画像形成装置１０の機能構成例を示したブロック図である。画像形成装置１０は、表示部１１と、操作受付部１２と、パネル制御部１３と、ＢＬＥ制御部１４と、ネットワーク制御部１５と、画像データ生成部１６とを備える。また、近距離無線通信が行える範囲内の携帯端末２０に限定したジョブを実行するための制御を行うジョブ制御部１７を備えている。また、スキャンジョブ及びスキャンジョブを実施するか否かを判定するための情報を格納するジョブ格納部１８を備える。
【００２９】
表示部１１は、パネル制御部１３による制御のもと、例えば操作パネル１０５に、ユーザへのメッセージ等の各種画像を表示する。
操作受付部１２は、例えばユーザが操作パネル１０５をタッチすることにより、ユーザの操作入力を受け付ける。
パネル制御部１３は、表示部１１および操作受付部１２の動作を制御する。
【００３０】
認証情報を発信する発信部の一例としてのＢＬＥ制御部１４は、ＢＬＥ通信によりデータの送受信を行う。例えば、ＢＬＥ制御部１４は、ＢＬＥ通信が可能な範囲内に存在する装置に対して、ＢＬＥ通信により、アドバタイズパケットに認証情報の一例としてのランダムな文字列（以下、ワンタイムパスワード（ワンタイムＰＷＤ）ともいう）を含めて発信し続ける。ここで、アドバタイズパケットとは、自身の存在を周囲のＢＬＥ通信可能な端末に対して知らせるためのパケットである。また、ワンタイムパスワードとは、アクセス用に発行される、一度限りまたは一定時間など、限られた状態で有効なパスワードである。本実施の形態では、認証情報または画像の読取り指示を専有できる情報の一例としてワンタイムパスワードを用いて説明する。
【００３１】
読取り指示を受信する指示受信部及び読取りデータを送信するデータ送信部の一例としてのネットワーク制御部１５は、無線ルータ３０を介して無線通信によりデータの送受信を行う。例えば、ネットワーク制御部１５は、読取り指示の一例としてのスキャンジョブを携帯端末２０から受信し、読取りデータの一例としての、スキャンジョブを実行して得られたスキャンデータを携帯端末２０へ送信している。
【００３２】
読取りを実行する読取り実行部の一例としての画像データ生成部１６は、記録媒体に記録された画像を読取り、画像データを生成する。
ジョブ制御部１７は、ＢＬＥ制御部１４及びネットワーク制御部１５が発信または受信したデータをジョブ格納部１８に格納させる。また、ジョブ制御部１７は、格納したデータを比較した結果に基づき、画像データ生成部１６に画像データを生成させる。
【００３３】
そして、画像形成装置１０において、パネル制御部１３、ＢＬＥ制御部１４、ネットワーク制御部１５、ジョブ制御部１７は、図２に示すＣＰＵ１０１が実行するプログラムによって実現される。また、表示部１１、操作受付部１２は、図２に示す操作パネル１０５によって実現される。さらに、ＢＬＥ制御部１４は、図２に示すＢＬＥＩ／Ｆ１１０により実現される。また、ネットワーク制御部１５は、図２に示すネットワークＩ／Ｆ１０９により実現される。またさらに、画像データ生成部１６は、図２に示す画像読取部１０７により実現される。さらに、ジョブ格納部１８は、図２に示すＨＤＤ１０４により実現される。
【００３４】
＜携帯端末２０の機能構成＞
次に、携帯端末２０の機能構成について説明する。図５は、携帯端末２０の機能構成例を示したブロック図である。携帯端末２０は、画像を表示する表示部２１と、ユーザの操作入力を受け付ける操作受付部２２と、携帯端末２０の表示を制御する表示制御部２３と、ＢＬＥ通信による送受信を制御するＢＬＥ制御部２４と、無線通信による送受信を制御する無線制御部２５と、近距離無線通信が可能な画像形成装置１０に対してジョブを実行させるための制御を行うジョブ制御部２６と、ジョブに関連する情報を記憶するジョブ記憶部２７とを備える。
【００３５】
表示部２１は、表示制御部２３による制御のもと、例えば図３に示す画像表示手段２０５に、ユーザへのメッセージ等の各種画像を表示する。
操作受付部２２は、例えばユーザが画像表示手段２０５をタッチすることにより、ユーザの操作入力を受け付ける。
表示制御部２３は、表示部２１および操作受付部２２の動作を制御する。
【００３６】
ＢＬＥ制御部２４は、ＢＬＥ通信によりデータの送受信を行う。本実施の形態では、ＢＬＥ制御部２４は、ＢＬＥ通信により、画像形成装置１０からワンタイムパスワードを含むアドバタイズパケットを受信する。
無線制御部２５は、無線ルータ３０を介して無線通信によりデータの送受信を行う。本実施の形態では、無線制御部２５は、スキャンジョブを画像形成装置１０へ送信し、スキャンジョブを実行して得られたデータを画像形成装置１０から受信する。
【００３７】
ジョブ制御部２６は、ＢＬＥ制御部２４や無線制御部２５が送受信したデータをジョブ記憶部２７に記憶させる。また、ジョブ制御部２６は、送受信したデータを元にジョブを作成するとともに、ジョブの送信を制御する。本実施の形態では、ジョブ制御部２６は、受信したアドバタイズパケットに含まれるワンタイムパスワードを格納手段の一例としてのジョブ記憶部２７に保存する。また、受信したワンタイムパスワードを含めたスキャンジョブを作成して無線制御部２５へ渡す。
【００３８】
そして、携帯端末２０において、表示制御部２３、ＢＬＥ制御部２４、無線制御部２５、ジョブ制御部２６は、図３に示すＣＰＵ２０１が実行するプログラムによって実現される。また、表示部２１、操作受付部２２は、図３に示す画像表示手段２０５によって実現される。さらに、ＢＬＥ制御部２４は、図３に示すＢＬＥＩ／Ｆ２０４により実施される。またさらに、無線制御部２５は、図３に示す無線Ｉ／Ｆ２０３により実現される。さらに、ジョブ記憶部２７は、図３に示すメモリ２０２やＨＤＤ等により実現される。
【００３９】
＜画像処理システム１の動作＞
次に、画像処理システム１の動作について説明する。図６は、実施の形態１に係る画像処理システム１の動作の一例を説明するためのシーケンス図である。図７−１および図７−２は、実施の形態１に係る画像処理システム１による処理手順の一例を説明するためのフローチャートであり、図７−１は、画像形成装置１０の処理手順の一例を説明し、図７−２は、携帯端末２０の処理手順の一例を説明している。
【００４０】
まず、図６のシーケンス図を参照しながら、画像処理システム１における各装置の動作の一例を説明する。
画像形成装置１０は、ＢＬＥ通信機能を用いて、ワンタイムパスワード（ワンタイムＰＷＤ）を含めたアドバタイズパケットを発信し続けている。そして、携帯端末２０は、ユーザによるプルスキャン開始の指示を受けて、ＢＬＥ通信により、ワンタイムパスワードを含むアドバタイズパケットを画像形成装置１０から受信する。さらに、携帯端末２０はアドバタイズパケットに含まれるワンタイムパスワードを加えたスキャンジョブを作成する。そして、携帯端末２０は、無線ルータ３０を介した無線通信により、作成したスキャンジョブを画像形成装置１０に送信する。
【００４１】
一方、携帯端末２０からのスキャンジョブの送信を受けて、画像形成装置１０は、スキャンジョブに含まれるワンタイムパスワードを判定し、その後スキャン動作を実施する。さらに、画像形成装置１０は、無線ルータ３０を介した無線通信により、スキャン動作により得られたスキャンデータを携帯端末２０へ送信する。
【００４２】
なお、携帯端末２０がアドバタイズパケットを受信する際にはＢＬＥ通信を行うため、画像形成装置１０の近距離無線通信が行える通信範囲内に携帯端末２０が存在することが必要である。一方、携帯端末２０がスキャンジョブを送信する際には無線ルータ３０を介した無線通信を用いることから、ＢＬＥ通信の通信範囲内に限定されるものではない。
すなわち、画像形成装置１０の近距離無線通信が行える範囲内に携帯端末２０が存在した/することを条件として画像形成装置１０と携帯端末２０とが画像の読取り指示を専有できる情報を共有し、専有できる情報を用いて画像の読取り指示を送受信している。
【００４３】
次に、図７−１及び７−２のフローチャートを参照しながら、画像形成装置１０及び携帯端末２０が行う動作について、詳細に説明する。
図７−１に示すように、画像形成装置１０のＢＬＥ制御部１４は、ＢＬＥ通信によりワンタイムパスワードを含むアドバタイズパケットを発信する（ステップ１０１）。次に、画像形成装置１０のネットワーク制御部１５が無線ルータ３０を介した無線通信によりスキャンジョブを受信すると（ステップ１０２）、ジョブ制御部１７はスキャンジョブにワンタイムパスワードが含まれているか否かを判定する（ステップ１０３）。ここで、ワンタイムパスワードが含まれている場合（ステップ１０３でＹｅｓ）、ジョブ制御部１７はスキャンジョブに含まれているワンタイムパスワードとＢＬＥ制御部１４が発信したワンタイムパスワードとが一致するかを判定する（ステップ１０４）。ワンタイムパスワードが一致する場合（ステップ１０４でＹｅｓ）、ジョブ制御部１７は画像データ生成部１６にスキャン動作を実施させる（ステップ１０５）。そしてスキャン動作により得られたスキャンデータを、ネットワーク制御部１５を介して携帯端末２０へ送信し（ステップ１０６）、処理を終了する。
【００４４】
一方、スキャンジョブにワンタイムパスワードが含まれていない場合（ステップ１０３でＮｏ）や、ワンタイムパスワードが一致しない場合（ステップ１０４でＮｏ）には、ジョブ制御部１７は、画像データ生成部１６にスキャン動作を実施させず（ステップ１０７）、処理を終了する。
【００４５】
次に、図７−２を参照して、携帯端末２０の動作を、画像形成装置１０の動作と関連づけて説明する。
プルスキャンを行おうとするユーザの携帯端末２０が画像形成装置１０のＢＬＥ通信が可能なエリア内に入ることで、画像形成装置１０とのＢＬＥ通信が可能になる（ステップ２０１でＹｅｓ）。そして、図７−１のステップ１０１で示すように、画像形成装置１０のＢＬＥ制御部１４がワンタイムパスワードを含むアドバタイズパケットを発信している場合、携帯端末２０のＢＬＥ制御部２４がアドバタイズパケットを受信する（ステップ２０２でＹｅｓ）。ジョブ制御部２６はアドバタイズパケットに含まれるワンタイムパスワードをジョブ記憶部２７に保存し、ワンタイムパスワードを加えたスキャンジョブを作成する（ステップ２０３）。無線制御部２５は、無線ルータ３０を介した無線通信により、作成したスキャンジョブを画像形成装置１０に送信する（ステップ２０４）。そして、図７−１のステップ１０２で示すように、画像形成装置１０のネットワーク制御部１５が無線通信によりスキャンジョブを受信する。
その後、図７−１のステップ１０６に示すように画像形成装置１０のネットワーク制御部１５がスキャンデータを送信すると、携帯端末２０の無線制御部２５はスキャンデータを受信し（ステップ２０５）、処理を終了する。
【００４６】
一方、携帯端末２０が画像形成装置１０とＢＬＥ通信が可能ではない場合（ステップ２０１でＮｏ）や、携帯端末２０のＢＬＥ制御部２４がアドバタイズパケットを受信しない場合（ステップ２０２でＮｏ）には、ジョブ制御部２６はスキャンジョブを作成せず（ステップ２０６）、処理を終了する。なお、携帯端末２０が画像形成装置１０とＢＬＥ通信が可能ではない場合としては、例えば、携帯端末２０が画像形成装置１０とのＢＬＥ通信が可能なエリア外に存在する場合や、一方または他方の装置の一時的な不具合などが挙げられる。
【００４７】
また、以前取得したワンタイムパスワードを用いてスキャンジョブを作成した場合に、画像形成装置１０がスキャン動作を実施しないように、ステップ１０１で発信するワンタイムパスワードを一定時間経過後に変更する構成としても良い。
【００４８】
以上説明したように、実施の形態１に係る画像処理システム１では、画像形成装置１０と携帯端末２０とがアドバタイズパケットに含まれるワンタイムパスワードを共有することにより、画像形成装置１０を専有して読取り指示を実行する構成を示した。従って、ワンタイムパスワードを含むアドバタイズパケットを受信していない端末からのプルスキャンを防ぐことができる。
【００４９】
［実施の形態２］
次に、実施の形態２について説明する。実施の形態１では、ＢＬＥ通信により画像形成装置１０が発信しているワンタイムパスワードを用いてスキャン動作を実施する構成を説明した。この実施の形態１では、画像形成装置１０とＢＬＥ通信が可能な携帯端末２０が複数存在する場合、いずれの携帯端末２０もワンタイムパスワードを含めたスキャンジョブを作成することが可能である。そして、画像形成装置１０に対してより早くスキャンジョブを送信した携帯端末２０がプルスキャンを行うこととなり、画像形成装置１０に原稿を置いたユーザの携帯端末２０以外からプルスキャンが行われてしまう可能性がある。そこで、実施の形態２では、携帯端末２０を特定する特定情報を用いて、特定された携帯端末２０からのプルスキャンを行う構成としている。
【００５０】
実施の形態２では、ＢＬＥ制御部１４は携帯端末２０を特定する特定情報を近距離無線通信により受信する情報受信部の一例及び、特定情報の登録状況を通知する通知部の一例として機能し、ＢＬＥ通信が可能な範囲内に存在する携帯端末２０から、特定情報または画像の読取り指示を専有できる情報の一例として、ＵＵＩＤ（Ｕｎｉｖｅｒｓａｌｌｙ  Ｕｎｉｑｕｅ  ＩＤｅｎｔｉｆｉｅｒ）等を受信する点が実施の形態１と異なる。ここで、ＵＵＩＤは、携帯端末２０の識別子であり、携帯端末２０を一意に特定するためのものである。本実施の形態では、携帯端末２０を特定する特定情報または画像の読取り指示を専有できる情報の一例としてＵＵＩＤを用いて説明する。
なお、実施の形態２にて、実施の形態１と同様のものについては同様な符号を付し、その詳細な説明を省略する。
図４に示すジョブ制御部１７は、実施の形態１と同様に、近距離無線通信が行える範囲内の携帯端末２０に限定したジョブを実行するための制御を行う。本実施の形態では、ジョブ制御部１７は、携帯端末２０を特定する特定情報を登録する登録部の一例として機能し、ＵＵＩＤにより特定された携帯端末２０からのジョブを実行するための制御を行う。ここで、ジョブ制御部１７が登録するＵＵＩＤは、ジョブ格納部１８に格納される。
図５に示すＢＬＥ制御部２４は、実施の形態１と同様に、ＢＬＥ通信により、データの送受信を行う。本実施の形態では、ＢＬＥ制御部２４は、ＵＵＩＤを送信しており、また、ＵＵＩＤの登録に関する通知及びスキャンジョブを拒否する通知などを受信している。
ジョブ制御部２６は、実施の形態１と同様に、近距離無線通信が可能な画像形成装置１０に対してジョブを実行させるための制御を行うが、スキャンジョブを作成する際に、ワンタイムパスワードではなく自身のＵＵＩＤを加えている。
【００５１】
＜画像処理システム１の動作＞
まず、画像処理システム１の動作について説明する。図８−１および図８−２は、実施の形態２に係る画像処理システム１の動作の一例を説明するためのシーケンス図であり、図８−１は画像形成装置１０と携帯端末２０とを有する画像処理システム１の動作の一例を説明し、図８−２は、画像形成装置１０と２台の携帯端末２０（携帯端末２０Ａ、２０Ｂ）とを有する画像処理システム１の動作の一例を説明している。図９−１および図９−２は実施の形態２に係る画像処理システム１による処理手順の一例を説明するためのフローチャートであり、図９−１は、画像形成装置１０の処理手順の一例を説明し、図９−２は、携帯端末２０の処理手順の一例を説明している。
【００５２】
まず、図８−１のシーケンス図を参照しながら、画像処理システム１における各装置の動作の一例を説明する。
まず、ユーザによる携帯端末２０からのプルスキャン開始の指示を受けて、携帯端末２０は、ＢＬＥ通信により、自身のＵＵＩＤを画像形成装置１０に送信する。すると、画像形成装置１０は、送信されたＵＵＩＤを登録する。そして、画像形成装置１０は携帯端末２０に対してＵＵＩＤの登録完了を通知する。その後、携帯端末２０は、自身のＵＵＩＤを加えたスキャンジョブを作成し、無線ルータ３０を介した無線通信により、スキャンジョブを画像形成装置１０に送信する。
【００５３】
画像形成装置１０は、スキャンジョブに含まれるＵＵＩＤを判定し、その後スキャン動作を実施する。そして、画像形成装置１０は、無線ルータ３０を介した無線通信により、スキャン動作によって得られたスキャンデータを携帯端末２０に送信する。その後、画像形成装置１０は、登録されているＵＵＩＤを削除する。
【００５４】
なお、携帯端末２０がＵＵＩＤを送信する際にはＢＬＥ通信を行うため、画像形成装置１０の近距離無線通信が行える通信範囲内に携帯端末２０が存在することが必要である。一方、携帯端末２０がスキャンジョブを送信する際には無線ルータ３０を介した無線通信を用いることから、ＢＬＥ通信の通信範囲内に限定されるものではない。
すなわち、画像形成装置１０の近距離無線通信が行える範囲内に携帯端末２０が存在した/することを条件として画像形成装置１０と携帯端末２０とが画像の読取り指示を専有できる情報を共有し、専有できる情報を用いて画像の読取り指示を送受信している。
【００５５】
またここで、携帯端末２０が自身のＵＵＩＤを送信してからスキャンジョブを送信するまでの間に、別の携帯端末２０が自身のＵＵＩＤを画像形成装置１０に送信する場合が考えられる。つまり、２台以上の携帯端末２０がプルスキャンを行おうとする場合がある。この場合に、既にＵＵＩＤを送信した携帯端末２０を携帯端末２０Ａとし、これからＵＵＩＤを送信しようとする携帯端末２０を携帯端末２０Ｂとして、以下に説明を行う。
【００５６】
図８−２のシーケンス図を参照しながら、画像形成装置１０と２台の携帯端末２０Ａ，２０Ｂとを有する画像処理システム１の動作の一例を説明する。ここで、図８−１と同様の処理については説明を省略する。
携帯端末２０Ａが自身のＵＵＩＤを送信し、画像形成装置１０がＵＵＩＤの登録完了通知を送信した後、別の携帯端末２０Ｂがプルスキャン開始の指示を受けて、ＢＬＥ通信により、自身のＵＵＩＤを画像形成装置１０に送信したとする。すると、画像形成装置１０は、携帯端末２０ＢのＵＵＩＤの登録を拒否し、携帯端末２０Ｂに対してＵＵＩＤの登録拒否を通知する。また、携帯端末２０Ｂが、無線ルータ３０を介した無線通信により、自身のＵＵＩＤを加えたスキャンジョブを画像形成装置１０に送信すると、画像形成装置１０はスキャンジョブに含まれるＵＵＩＤを判定し、スキャンジョブを拒否する。そして、画像形成装置１０は携帯端末２０Ｂへスキャンジョブ拒否通知を送信する。
【００５７】
その後、携帯端末２０Ａが、スキャンジョブを送信すると、図８−１と同様の処理が行われる。
【００５８】
次に、図９−１及び９−２のフローチャートを参照しながら、画像形成装置１０及び携帯端末２０が行う動作について、詳細に説明する。
図９−１に示すように、画像形成装置１０のＢＬＥ制御部１４は、ＢＬＥ通信により携帯端末２０からＵＵＩＤを受信する（ステップ３０１）。そして、画像形成装置１０のジョブ制御部１７はジョブ格納部１８に他端末のＵＵＩＤが登録されているか否かを判定する（ステップ３０２）。ここで、他端末のＵＵＩＤが登録されていない場合（ステップ３０２でＮｏ）、ジョブ制御部１７は携帯端末２０のＵＵＩＤをジョブ格納部１８に登録し（ステップ３０３）、ＢＬＥ制御部１４を介して登録完了通知を送信させる（ステップ３０４）。次に、画像形成装置１０のネットワーク制御部１５が無線ルータ３０を介した無線通信によりスキャンジョブを受信する（ステップ３０５）。すると、画像形成装置１０のジョブ制御部１７は、スキャンジョブにＵＵＩＤが含まれているかどうかを判定する（ステップ３０６）。ここで、スキャンジョブにＵＵＩＤが含まれていると判定した場合（ステップ３０６でＹｅｓ）、ジョブ制御部１７は、スキャンジョブに含まれているＵＵＩＤと登録されているＵＵＩＤとが一致するかどうかを判定する（ステップ３０７）。ここで、ＵＵＩＤが一致すると判定した場合（ステップ３０７でＹｅｓ）、ジョブ制御部１７は画像データ生成部１６にスキャン動作を実施させる（ステップ３０８）。そして、ジョブ制御部１７は、ネットワーク制御部１５を介して、スキャン動作により得られたスキャンデータを携帯端末２０Ａへ送信する（ステップ３０９）。その後、ジョブ制御部１７はジョブ格納部１８に登録されているＵＵＩＤを削除し（ステップ３１０）、処理を終了する。
【００５９】
一方、ジョブ格納部１８に他端末のＵＵＩＤが登録されている場合（ステップ３０２でＹｅｓ）、ジョブ制御部１７は携帯端末２０のＵＵＩＤを登録せず（ステップ３１１）、ＢＬＥ制御部１４に登録拒否通知を送信させる（ステップ３１２）。また、スキャンジョブにＵＵＩＤが含まれていないと判定した場合（ステップ３０６でＮｏ）やＵＵＩＤが一致しないと判定した場合（ステップ３０７でＮｏ）、ジョブ制御部１７は画像データ生成部１６にスキャン動作を実施させず（ステップ３１３）、ＢＬＥ制御部１４にスキャンジョブ拒否通知を送信させる（ステップ３１４）。
【００６０】
次に、図９−２を参照して、携帯端末２０の動作を、画像形成装置１０の動作と関連づけて説明する。
まず、携帯端末２０からプルスキャンの指示が行われる（ステップ４０１）。すると、携帯端末２０のＢＬＥ制御部２４は自身のＵＵＩＤを画像形成装置１０に送信し（ステップ４０２）、図９−１のステップ３０１で示すように、画像形成装置１０のＢＬＥ制御部１４がＵＵＩＤを受信する。次に、図９−１のステップ３０４で示すように、画像形成装置１０のＢＬＥ制御部１４が登録完了通知を送信すると、携帯端末２０のＢＬＥ制御部２４は登録完了通知を受信する（ステップ４０３でＹｅｓ）。そして、携帯端末２０のジョブ制御部２６が、自身のＵＵＩＤを加えたスキャンジョブを作成する（ステップ４０４）。その後、無線制御部２５は、無線ルータ３０を介した無線通信により、スキャンジョブを送信し（ステップ４０５）、図９−１のステップ３０５で示すように、画像形成装置１０のネットワーク制御部１５がスキャンジョブを受信する。
そして、図９−１のステップ３０９で示すように、画像形成装置１０のネットワーク制御部１５がスキャン動作により得られたスキャンデータを携帯端末２０へ送信すると、携帯端末２０の無線制御部２５はスキャンデータを受信し（ステップ４０６）、処理を終了する。
【００６１】
一方、ＵＵＩＤの登録完了通知を受信しない場合（ステップ４０３でＮｏ）、すなわち図９−１のステップ３１２で示すように、登録拒否通知が送信される場合、または通知自体を受信しない場合、ジョブ制御部２６はスキャンジョブを作成せず（ステップ４０７）、処理を終了する。
【００６２】
ここで、登録完了通知、登録拒否通知、スキャンジョブ拒否通知はＢＬＥ制御部１４が送信し、ＢＬＥ制御部２４が受信する構成としたが、いずれもネットワーク制御部１５が送信し、無線制御部２５が受信する構成としても良い。また、画像形成装置１０がＵＵＩＤの登録許可通知や登録拒否通知を送信しない構成としても良い。さらに、画像形成装置１０がスキャンジョブ拒否通知を送信しない構成としても良い。
また、携帯端末２０は、登録完了通知の受信に関わらず、スキャンジョブを作成する構成としても良い。
【００６３】
また、ステップ３１０でスキャンデータの送信の完了後に登録されているＵＵＩＤを削除するとしたが、ＵＵＩＤを受信してから一定時間経過後に削除する構成としてもよい。その際、ステップ４０２でＢＬＥ制御部２４が自身のＵＵＩＤと共に現在時刻を送信する構成として、一定時間経過後にＵＵＩＤを削除するようにしてもよい。または、画像形成装置１０に内蔵されたタイマー（図示せず）を用いて、ステップ３０１にてＵＵＩＤを受信した時刻を基に、一定時間経過後にＵＵＩＤを削除するようにしてもよい。
【００６４】
以上説明したように、実施の形態２に係る画像処理システム１では、画像形成装置１０と携帯端末２０とがＵＵＩＤを共有することにより、画像形成装置１０を専有して読取り指示を実行する構成を示した。従って、画像形成装置１０にＵＵＩＤが登録されている間は、他の携帯端末２０からのＵＵＩＤの登録やスキャンジョブを拒否するため、登録されているＵＵＩＤを有する携帯端末２０以外からのプルスキャンを防ぐことができる。
【００６５】
また、実施の形態１及び実施の形態２では、近距離無線通信にＢＬＥを用いるとして説明を行ったが、このような構成に限られるものではない。画像形成装置１０と携帯端末２０が直接、近距離無線通信を行う構成であればよいので、ＮＦＣやＦｅｌｉｃａ等でワンタイムパスワードやＵＵＩＤを通信することによっても代替可能である。
【００６６】
さらに、実施の形態１及び実施の形態２では、プルスキャンを行う際の動作を説明したが、プルスキャンの他にプリントやコピーなどの各種動作を行う場合に対しても適用可能である。
【００６７】
なお、本発明を実施の形態を用いて説明したが、本発明の技術的範囲は上記実施の形態には限定されない。本発明の精神及び範囲から逸脱することなく様々に変更したり代替態様を採用したりすることが可能なことは、当業者に明らかである。
【符号の説明】
【００６８】
１…画像処理システム、１０…画像形成装置、１１…表示部、１２…操作受付部、１３…パネル制御部、１４…ＢＬＥ制御部、１５…ネットワーク制御部、１６…画像データ生成部、１７…ジョブ制御部、１８…ジョブ格納部、２０…携帯端末、２１…表示部、２２…操作受付部、２３…表示制御部、２４…ＢＬＥ制御部、２５…無線制御部、２６…ジョブ制御部、２７…ジョブ記憶部、５０…ネットワーク
【図１】
0006477109.tif 000002
【図２】
0006477109.tif 000003
【図３】
0006477109.tif 000004
【図４】
0006477109.tif 000005
【図５】
0006477109.tif 000006
【図６】
0006477109.tif 000007
【図７−１】
0006477109.tif 000008
【図７−２】
0006477109.tif 000009
【図８−１】
0006477109.tif 000010
【図８−２】
0006477109.tif 000011
【図９−１】
0006477109.tif 000012
【図９−２】
0006477109.tif 000013